(57)【要約】【課題】  薄層による植物共生を利用した緑化工法及びその緑化構造体を提供する。【解決手段】  多孔質の中粒用土に予め千切ったコケ類と複数の小型セダムとを混ぜ、該混合物を露天のコンクリート面又は屋根面に１０〜２０ｍｍの薄層に敷き、き餓育生条件の環境下で形成させた植物共生コロニーからなる緑化構造体を構築することを特徴とする緑化工法、多孔質の中粒用土を露天のコンクリート面又は屋根面に１０〜２０ｍｍの薄層に敷き、その上に予め千切ったコケ類と複数の小型セダムを均一に播き、き餓育生条件の環境下で形成させた植物共生コロニーからなる緑化構造体を構築することを特徴とする緑化工法、及び該緑化工法で形成された植物共生コロニーからなる緑化構造体。【選択図】  なし【特許請求の範囲】
【請求項１】
多孔質の中粒用土を露天のコンクリート面又は屋根面に１０〜２０ｍｍ程度の薄層に敷
き、その上に予め千切ったコケ類と複数の小型セダムを均一に播き、き餓育生条件の環境
下で形成させた植物共生コロニーからなる緑化構造体を構築することを特徴とする緑化工
法。
【請求項２】
コケ類と複数の小型セダムを均一に播いた上に、飛散防止用の貼材を散布して多孔質の
中粒用土に上記コケ類及びセダムを付着させる、請求項１記載の緑化工法。
【請求項３】
紙及び／又は木のセルロースを混ぜた飛散防止用の貼材を散布して多孔質の中粒用土に
上記コケ類及びセダムを付着させる、請求項１記載の緑化工法。
【請求項４】
多孔質の中粒用土に予め千切ったコケ類と複数の小型セダムとを混ぜ、該混合物を露天
のコンクリート面又は屋根面に１０〜２０ｍｍ程度の薄層に敷き、き餓育生条件の環境下
で形成させた植物共生コロニーからなる緑化構造体を構築することを特徴とする緑化工法
。
【請求項５】
多孔質の中粒用土の粒径が、３〜７ｍｍ程度である、請求項１から４のいずれか１項に
記載の緑化工法。
【請求項６】
請求項１から５のいずれか１項に記載の緑化工法で施工して緑化した緑化構造体であっ
て、多孔質の中粒用土からなる薄層が１０〜２０ｍｍ程度であり、該薄層の上に形成され
た植物共生コロニーからなる植物層が３０〜１００ｍｍ程度であることを特徴とする緑化
構造体。
【発明の詳細な説明】
【技術分野】
【０００１】
本発明は、植物共生を利用した緑化工法に関するものであり、更に詳しくは、主に露天
の建物、工作物等のコンクリート面、屋根、屋上等を緑化するための緑化用資材及び該資
材を用いた緑化工法に関するものである。本発明は、近年、特に、都市部におけるヒート
アイランド現象による環境問題を解決する一つの技術として注目されているビルの屋上等
の緑化工法の技術分野において、従来技術では達成し得ないメンテナンスフリー、無肥料
、簡便な施工、軽量化及び低コスト化等を実現することを可能とする新しい緑化技術を提
供するものとして有用である。
【背景技術】
【０００２】
従来、建造物のコンクリート面等を植物で飾ることにより、景観を向上し、ヒートアイ
ランド化を緩和することが実施されている。それらの方法として、例えば、可撓性シート
の表面に、コケ類又は微細そう類を定着させて緑化する方法（特許文献１参照）、コケ植
物の植物体同士を絡ませてなるコケ植物を用いた緑化資材（特許文献２参照）、コケ類に
接合剤と水とを混ぜて散布して保水層にコケ類を生育させることによりコンクリート面を
緑化する方法（特許文献３参照）、コケやマンネングサなどの乾燥に強い植物の混入植生
基材を塗布あるいは吹き付けることからなるコンクリート面の景観工法（特許文献４参照
）、植物の根絡みによって固定した固定物を吹き付け材料として用いる吹き付け工法（特
許文献５参照）、植物の種子から伸び出した根をコケ植物に絡ませて無機質面を緑化する
緑化方法（特許文献６参照）、コケ植物配偶体が紙繊維によって固定されているコケ植物
配偶体を含んでなる緑化用固定物（特許文献７参照）、細片化したコケ、活性炭及び木炭
の粉が分散して配された植生シート（特許文献８参照）、等が提案されている。
【０００３】
更に、コケ類の配偶体基部を接着剤で固定したコケ類固定粘着シート（特許文献９参照
）、床材本体に植生用砂材が具備されている緑化用床材（特許文献１０参照）、植物と培
地資材の結合体である緑化用ユニットを緑化対象面に張り付ける人工構造物の薄層緑化方
法（特許文献１１参照）、セダムの全体を保護材でコーティングした移植苗をヤシマット
を混入した現場に散撒する移植方法（特許文献１２参照）、コケ植物を含有する混合物が
粒状に固化している粒状物をコンクリートの表面に固定する方法（特許文献１３参照）、
コケ類、シダ類の胞子又は切片を緑化基盤の塊状体上に着生させて基盤表面を緑化する方
法（特許文献１４参照）、軽質培地と、セダム類の根によって軟質培地の下側に形成され
た繊維状部分とからなるセダム・カーペット（特許文献１５参照）、等が提案されている
。
【０００４】
更に、既に実用化されている技術として、例えば、人工地盤上に貫根透水フィルターを
設置した製品、多孔質人工軽量土壌、マット状のコンテナ育成植物、スナゴケと人工芝を
組み合わせた緑化資材、容器型緑化システム、高断熱ボードにセダム類を固定する方法、
コケ植物を組み込んだ基盤、トレーユニットにスナゴケ等を固定する方法、排水マットを
利用した植生基盤等が例示される。このように、従来、多数の屋上緑化システム等が開発
されており、枚挙にいとまがないが、従来のものは、優れた利点がある反面、例えば、荷
重制限、メンテナンス、施肥、強風対策、エネルギー消費、コスト等の面で解決すべき問
題が多々あり、それらの解決が強く求められていた。
【０００５】
【特許文献１】特開平８−７０７０２号公報
【特許文献２】特開平１１−７５５３２号公報
【特許文献３】特開２０００−１２９４８１号公報
【特許文献４】特開２００２−１４６７９８号公報
【特許文献５】特開２００１−２０２８７号公報
【特許文献６】特開２００１−９８５５５号公報
【特許文献７】特開平７−２２７１４３号公報
【特許文献８】特開２００２−１６５５１８号公報
【特許文献９】特開２００１−２３４１３２号公報
【特許文献１０】特開２００１−３１１１５３号公報
【特許文献１１】特開平１１−１７２７０６号公報
【特許文献１２】特開２００３−１２５６０８号公報
【特許文献１３】特開２００２−３６９６１８号公報
【特許文献１４】特開平８−２３８０２３号公報
【特許文献１５】特開平１１−２８０２４号公報
【発明の開示】
【発明が解決しようとする課題】
【０００６】
このような状況の中で、本発明者は、上記従来技術に鑑みて、上記従来技術の持つ諸問
題を抜本的に解決すると共に、ヒートアイランド現象と大気浄化等に優れた効果を発揮し
、かつ、軽量化、低コスト、メンテナンスフリー等を実現することを可能とする新しい緑
化システムを開発することを目標として鋭意研究を積み重ねた結果、多孔質の中粒軽石に
コケと小型セダムを混ぜ、露天のコンクリート面に１０〜２０ｍｍ程度の薄層を形成する
こと及びき餓育生条件の環境下で形成させた植物共生コロニーを利用することで緑化工法
が可能となることを見出し、更に研究を重ねて、本発明を完成するに至った。
本発明は、上記薄層を形成すること及びき餓育生条件の環境下で形成させた植物共生コ
ロニーを利用した新規緑化工法及びその緑化構造体を提供することを目的とするものであ
る。
【課題を解決するための手段】
【０００７】
上記課題を解決するための本発明は、以下の技術的手段から構成される。
（１）多孔質の中粒用土を露天のコンクリート面又は屋根面に１０〜２０ｍｍ程度の薄層
に敷き、その上に予め千切ったコケ類と複数の小型セダムを均一に播き、き餓育生条件の
環境下で形成させた植物共生コロニーからなる緑化構造体を構築することを特徴とする緑
化工法。
（２）コケ類と複数の小型セダムを均一に播いた上に、飛散防止用の貼材を散布して多孔
質の中粒用土に上記コケ類及びセダムを付着させる、前記（１）記載の緑化工法。
（３）紙及び／又は木のセルロースを混ぜた飛散防止用の貼材を散布して多孔質の中粒用
土に上記コケ類及びセダムを付着させる、前記（１）記載の緑化工法。
（４）多孔質の中粒用土に予め千切ったコケ類と複数の小型セダムとを混ぜ、該混合物を
露天のコンクリート面又は屋根面に１０〜２０ｍｍ程度の薄層に敷き、き餓育生条件の環
境下で形成させた植物共生コロニーからなる緑化構造体を構築することを特徴とする緑化
工法。
（５）多孔質の中粒用土の粒径が、３〜７ｍｍ程度である、前記（１）から（４）のいず
れか１項に記載の緑化工法。
（６）前記（１）から（５）のいずれか１項に記載の緑化工法で施工して緑化した緑化構
造体であって、多孔質の中粒用土からなる薄層が１０〜２０ｍｍ程度であり、該薄層の上
に形成された植物共生コロニーからなる植物層が３０〜１００ｍｍ程度であることを特徴
とする緑化構造体。
【０００８】
次に、本発明について更に詳細に説明する。
本発明は、上述のように、（１）多孔質の中粒用土にコケ類と複数の小型セダムとを混
ぜ、該混合物を露天のコンクリート面又は屋根面に１０〜２０ｍｍ程度の薄層を形成する
ように敷くこと、あるいは（２）多孔質の中粒用土を露天のコンクリート面又は屋根面に
１０〜２０ｍｍ程度の薄層で敷き、その上にコケ類と複数の小型セダムを播くこと、を特
徴とするものである。本発明において、多孔質の中粒用土とは、好適には、例えば、軽石
、発泡レンガ、パーライト、バーミキュライト、発泡ガラス等を意味するが、これらに限
定されるものではなく、多孔質の培養土として利用できるものであれば同様に使用するこ
とができる。また、ここで言う中粒とは、３〜７ｍｍ程度のものを意味する。この数値は
、本発明の緑化工法により得られる植物共生と中粒用土との組み合わせから、３〜７ｍｍ
程度の中粒であれば安易に雨などで流出しないという実験結果に基づくものである。この
多孔質の中粒用土の色彩については、好適には、白色系のものが使用され、それにより、
太陽熱を反射させ、例えば、屋上の温度上昇を抑制することができる。また、粒子自体は
、中性ないしやや酸性のものが好ましく、弱アルカリ程度であれば施工は可能であるが、
強いアルカリのものは植物にとって好ましくないので適さない。
【０００９】
次に、本発明で用いるコケ類としては、好適には、例えば、スナゴケ、ハイゴケが例示
されるが、これらに限らず、例えば、ギンゴケ、ヤノウエゴケなどの乾燥に強いコケを用
いることも可能である。この場合、複数のコケを同時に用いても良い。本発明の緑化工法
では、これらのコケ類を細かく砕いて（千切って）使用する。
更に、本発明で用いる小型のセダムとは、大きく生育しない小型のセダム類を意味し、
好適には、例えば、タイトコメ、モリムラマンネングサ、コーラルカーペット等に代表さ
れる小型のセダムが例示されるが、これらに制限されるものではなく、小型のセダムであ
れば同様に使用できる。したがって、本発明では、大型に育つ、生長の早いセダム、例え
ば、メキシコマンネングサ等は使用されない。
本発明では、このような小型のセダムを選択的に用いて形成される植物共生を利用する
ことが重要である。また、本発明の緑化工法では、好適には、これらのセダムを細かく千
切ったものを利用する方法、また、発根性を良くするために、細かく千切ってから一部発
根させたセダム類を用いる方法、が例示される。
本発明において、複数の小型セダムを混ぜるとは、少なくとも３〜１０程度の品種を混
ぜることを意味し、必要により、これより多くの品種を混ぜることも可能である。
【００１０】
本発明の緑化工法では、上記多孔質の中粒用土にコケ類と複数の小型セダムとを混ぜ、
露天のコンクリート面又は屋根面に１０〜２０ｍｍ程度の薄層で敷くか、あるいは、上記
多孔質の中粒用土を露天のコンクリート面又は屋根面に１０〜２０ｍｍ程度の薄層で敷き
、その上にコケ類と複数の小型セダムを播く工法、更に、後者の工法では、コケ類と複数
のセダムを播いた上に、飛散防止用のノリを散布する工法、が採用される。これらの施工
時期は、好適には、３月の、植物が活動し始める時期から盛夏前の６月位までと、残暑の
落ちついた９月から１２月程度までであるが、これ以外の時期であっても、温度管理、灌
水等を行うことにより施工は可能である。本発明の緑化工法では、灌水は、原則として、
施工時に一度だけ行えば良いが、施工初期の植物が発根し、コケ類が発芽しだすまでの時
期は、定期的な灌水を行うことも適宜可能である。
【００１１】
本発明では、肥料は、原則として、与えないが、施工時のみ、通常の５〜１０倍に薄め
た液肥を与えても良い。施工後は、原則として、水やりや施肥は行わず、露天で放置し、
管理する。本発明において、き餓育生条件の環境下で形成させた植物共生コロニーとは、
このような管理条件下で形成させた植物共生コロニーを意味する。このような管理方法を
採用することで、植え込んだ植物の中でも、その環境に適応した植物群が生き残り、植物
とコケとの共生環境が形成される。このような厳しい条件の環境下で育った植物は、暑さ
、寒さに対する抵抗力が非常に強く、徒長しないで引き締まった草姿となる。しかし、通
常の灌水を行ったり、保水層を持つタイプの緑化工法では、植物が徒長して大きく育って
しまい、本発明のような植物共生の環境を形成することは困難である。なお、植物に関し
ては、基本的には、コケ類と複数の小型セダムの組み合わせがベースの組み合わせである
が、本発明の植物共生が維持させる限りにおいて、これら以外に、小型の多肉植物類、例
えば、クラックス、エケベリア、サボテン類や、乾燥に強いシダ類、スベリヒユ等を組み
合わせることも可能である。
【００１２】
本発明の緑化工法は、従来の緑化工法とは異なり、基本的に、多孔質の中粒用土とコケ
と複数の小型セダムとを混ぜて、露天で、施肥や灌水を行わずに、植物をき餓状態で育成
することにより、厳しい環境の中で、植物を極力徒長させることなく、このような低水分
、低栄養環境に適合した植物共生コロニーからなる植物層（１０〜１００ｍｍ程度）を形
成することを特徴とするものである。この方法では、コケは２０〜３０ｍｍ程度まで育ち
、植物の基盤材としての役割をはたす。本発明では、多孔質の中粒用土（粒径３〜７ｍｍ
程度）を用いること、スナゴケ、ハイゴケ等のコケを混ぜること、複数（３〜１０種程度
）の小型セダム（３０〜５０ｍｍ程度）を混ぜること、これらを均一に混合すること、そ
の際に、予め千切ったコケ、小型セダムを用いること、更に、それらを結合用のノリをか
らめながら混合することにより、コケを玉状にして、多孔質の中粒用土とコケが分離する
ことを確実に防止すること、該混合物を屋上のコンクリート面等に薄層（１０〜２０ｍｍ
程度）に敷いて緑化用構造物を施工すること、該構造物を露天に放置して、植物をき餓状
態で育成し、その環境に耐えられる植物を選択的に生長させた植物共生による１０〜１０
０ｍｍ程度の植物層からなる緑化構造物とすること、が重要である。
【００１３】
本発明は、これらの構成要素の全てを組み合わせることで、はじめて所期の目的を達成
することを可能とするものであり、これらの構成要素の一部だけでは、所期の効果を期待
することはできない。従来、コケとセダムの植物共生を利用した緑化工法が提案されてい
るが、それは、上記構成要素の一部を利用したに過ぎず、本発明の方法とは本質的に相違
する。本発明は、上記の手段を総合することで、（１）施工が簡便で低コストである、（
２）軽量（約１０〜３２ｋｇ／平米程度）であるため被施工構造体に負担がかからない、
（３）防根シートが必要ない、（４）保水層、保水材を設置する必要がない、（５）施工
直後を除いて、水やり、施肥の必要がない、（６）メンテナンスフリーである、（７）雑
草の手入れが必要ない、（８）植物層が１０〜１００ｍｍ程度、好適には３０〜１００ｍ
ｍ程度、更に好適には３０〜５０ｍｍ程度であり、多少踏み込んでも問題ない、（９）撤
去が簡単である、（１０）薄層（１０〜２０ｍｍ程度）と植物層（１０〜１００ｍｍ程度
）からなる緑化構造物は、断熱層にもなる、という従来の緑化工法にない利点を有する。
【００１４】
本発明の緑化工法は、（１）従来の緑化工法とは根本的に異なり、植物を育てるのでは
なく、生育可能ぎりぎりの環境を創り、そのようなき餓育成条件の環境の中で耐えられる
複数の植物が生育し自立的に共生する状況を創出させること、（２）過酷な現場に複数の
植物を置くことで、植物の本来の力による共生関係を生み出し、最終的に安定した共生コ
ロニーを創り出すこと、を特徴とするものである。それにより、軽量な緑化を実現でき、
例えば、用土（排水層）が厚さ１０ｍｍから施工可能であり、１平米１０ｋｇ〜２２ｋｇ
程度（２０ｍｍの保水時）、安定した共生コロニーを形成した最終相で保水時に３２ｋｇ
程度（内コケによる保水１０ｋｇ／平米）である。また、それにより、低コストの緑化、
管理レスの緑化（原則として、肥料も水も与えない）を実現できる。
コケは最終的に約３０ｍｍの厚さまで伸び、それ自体が保水し、その能力は平米１０リ
ットルにも及び、厚さ６ｃｍのパーライトに匹敵する。
本発明は、複数のコケと小型のセダム植物をぎりぎりの生育環境に置き、施肥及び灌水
なしのいわゆるき餓育成をすることで、その環境に耐え得る植物のみによる共生コロニー
を形成させ、最終的に安定した植物共生関係を創り出すことを特徴とするものである。
【発明の効果】
【００１５】
本発明により、１）施工が簡便であり、低コストである、２）本発明の緑化資材は、軽
量であるため、構造体に負担をかけない、３）防根シートが必要ない、４）保水層、保水
材などの必要がない、５）水やり、施肥の必要がない、６）将来にわたってメンテナンス
の必要がない、７）雑草などの手入れが不要である、８）人が多少踏み込んでも問題ない
、９）植物共生による高耐久性の屋上緑化（フルグリーン）をコンクリート面に形成でき
る、１０）新しいタイプの薄層緑化工法及び緑化資材を提供することができる、という効
果が奏される。
【発明を実施するための最良の形態】
【００１６】
次に、実施例に基づいて本発明を具体的に説明するが、本発明は当該実施例により何ら
限定されるものではない。
【実施例１】
【００１７】
多孔質の白色系中粒軽石（３〜７ｍｍ程度）に、予め千切ったスナゴケとハイゴケ、及
び複数の小型のセダム類をデンプン貼とからめながらまぜ、これらが均一に混ざった混合
物を調製した。次いで、該混合物を屋上のコンクリート面のレンガで仕切った連続する複
数の区分に約２ｃｍの薄層に敷き、これを平らにならして、緑化用構造物を施工した（図
１、図２）。
【実施例２】
【００１８】
多孔質の中粒軽石を水洗いして表面の微細な粉末状粒子を除いた後、この中粒軽石（３
〜７ｍｍ程度）に、スナゴケ、ハイゴケ、ギンゴケ、ヤノウエゴケを混入し、更に、小型
のタイトゴメ等のセダムを混入し、これらを均一に混ぜて混合物を調製した。次いで、こ
れらの混合物を土木工作物のコンクリート面に約１５ｍｍの薄層に敷き、緑化用構造物を
施工した。
【実施例３】
【００１９】
多孔質の中粒発泡コンクリート（３〜５ｍｍ程度）を屋上のアスファルト面の所定の区
画に約２ｃｍの薄層に敷き、その上に千切ったスナゴケとハイゴケ及び複数の小型のセダ
ムを均一に播き、緑化用構造物を施工した。
【実施例４】
【００２０】
多孔質の中粒パーライト（約４〜７ｍｍ程度）を土木工作物のコンクリート面に約２０
ｍｍの薄層に敷き、その上に千切ったスナゴケとハイゴケ、及び複数の小型のセダムを均
一に播いた後、これらの上に飛散防止用の結合用ノリを散布し、緑化用構造物を施工した
。
【実施例５】
【００２１】
多孔質の中粒軽石、発泡レンガ、パーライト及びバーミキュライト（粒径３〜５ｍｍ程
度）と予め千切ったスナゴケとハイゴケ、及び複数の小型のセダム類を結合用ノリをから
めながら均一に混ぜ、上記多孔質の中粒軽石等と玉状に形成された上記コケ類等が均一に
混合した緑化用資材を製造した。
この緑化用資材を、ビルの屋上のコンクリート面に約１５〜２０ｍｍの薄層に敷いて、
緑化用構造物を施工した。これに灌水を１度行い、露天で放置してき餓培養することによ
り植物共生による所定の植物群を形成させた。
その結果、植え込んだ植物の内、その環境に適応した植物だけ生き残り、該植物とコケ
との共生による３０〜５０ｍｍの植物層と１５〜２０ｍｍの薄層（排水層）を有する緑化
構造物が得られた（図１）。
【産業上の利用可能性】
【００２２】
以上詳述した通り、本発明は、薄層による植物共生を利用した緑化工法及びその緑化構
造体に係るものであり、本発明により、主に、露天の建物、工作物、及び構造物等のコン
クリート面や屋根面等に、また、例えば、道路の中央分離帯のコンクリート面に、簡便な
工法で、低コストで、メンテナンスフリーで、植物共生による高耐久性の屋上緑化を形成
することを可能とする新規緑化工法及びその緑化構造体を提供することができる。
【図面の簡単な説明】
【００２３】
【図１】本発明の緑化工法で形成された緑化構造体の断面の概念図を示す。
【図２】施工中期における薄層及び植物の生育状態（セダムが定着し、コケが活動を始める）を示す。
【図１】
2005040114.tif 000002
【図２】
2005040114.tif 000003